(57)【要約】【課題】  袋体の内側寸法を有効に利用して従来よりも大きな物品を出し入れ可能で、かつ、遮光効果、防塵効果、さらには未開封確認効果をも有するジッパー付きのプラスチック製袋を得る。【解決手段】  プラスチックフィルム１１，１２からなる袋体の上辺開口部１５の内側にジッパー５を備えたプラスチック製袋。袋体の両側辺部分１３は溶着されており、両側辺部分１３であってジッパー５の両端部が位置する領域は非溶着部１６とされている。さらに、フィルム１１，１２はジッパー５よりも内方部分であって袋体の上辺に沿ってイージーピール溶着によって封止されている。この封止ライン２０ａは加熱によって強く溶着はしないが密着しており、上辺開口部１５を両側に引っ張ることで剥離する。【選択図】  図１
2006008141.tif 000002
【特許請求の範囲】
【請求項１】
プラスチックフィルムからなる袋体の上辺開口部の内側面に、凹部と凸部とからなる嵌合／解除可能なジッパーを備えたプラスチック製袋において、
前記袋体は少なくともその両側辺部分が溶着又は溶断されており、
前記袋体の両側辺部分であって前記ジッパーの両端部が位置する領域は非溶着部とされており、
前記袋体を構成する表フィルム及び裏フィルムが前記ジッパーよりも内方部分であって袋体の上辺に沿ってイージーピール溶着により封止されていること、
を特徴とするプラスチック製袋。
【請求項２】
前記イージーピール溶着による封止ラインは前記袋体の上辺の全長に渡って形成されていることを特徴とする請求項１に記載のプラスチック製袋。
【請求項３】
前記イージーピール溶着による封止ラインの一部が非溶着部とされていることを特徴とする請求項１に記載のプラスチック製袋。
【発明の詳細な説明】
【技術分野】
【０００１】
本発明は、プラスチック製袋、特に、プラスチックフィルムからなる袋体の上辺開口部の内側に、凹部と凸部とからなる嵌合／解除可能なジッパーを備えたプラスチック製袋に関する。
【背景技術】
【０００２】
プラスチックフィルムからなる袋体の上辺開口部の内側に、凹部と凸部とかならなる嵌合／解除可能なジッパーを備えたプラスチック製袋は、従来から種々のものが提供されている。
【０００３】
この種のジッパー付きプラスチック製袋に関しては、密閉性、遮光性、防塵性、あるいは未開封であることの確認性が要求されている。袋体の密閉性に関しては、特許文献１に、バップ剤などの揮発性成分を有する物品の収納袋として、ジッパーの内側に剥離性シール部を設けることが開示されている。
【０００４】
一方、代表的なジッパー付きプラスチック製袋は、図５に示すように、２枚のプラスチックフィルム１Ａ，１Ｂの両側辺部を溶着あるいは溶断し（図５（Ｃ）で斜線を付した部分２が溶着部である）、上辺開口部にジッパー５を設けたものである。ジッパー５は、よく知られているように（図６参照）、プラスチック製のベース部６に凹部７及び凸部８をそれぞれ一体的に形成したものである。
【０００５】
ジッパー５は、その両端部５ａ，５ａにおいて、凹部７と凸部８が互いに嵌合状態で溶着されている。従って、開口時にあっても両端部５ａ，５ａは嵌合状態で固定されており、再封時には両端部５ａ，５ａを起点としてジッパー５の背面部を指で挟み込み、押圧しつつ指を滑らせて封止する。
【０００６】
ところで、この種の従来のプラスチック製袋にあっては、ジッパー５を開いた際の開口部３の面積（図５（Ｂ）に斜線を付した部分）がかなり小さくなる。即ち、ジッパー５が設置される部分は樹脂量が多くなるためにどうしても溶着面積が大きくなり（図５（Ｃ）の２ａ参照）、また、凹部７及び凸部８が内方に膨出していることに起因する。従って、開口部３から出し入れすることのできる物品は溶着部２の内側寸法Ｄ１よりも小さな寸法Ｄ２から凹部７と凸部８とが開口時に重なり合っている部分を除いた幅Ｄ３以下のものに限定されていた。
【０００７】
特に、この種のプラスチック製袋をコピーやプリンタなどの用紙類の包装袋として使用した場合、狭い開口部をカットしなければ用紙を取り出すことができず、用紙を数枚ずつ取り出して残りを再封しておくような使い方ができなかった。
【０００８】
袋体内部の密閉性は特許文献１に開示されているように剥離性シール部分を設けることで解決が可能であるが、袋体の内容積を有効に活用して大きな物品を出し入れできたり、用紙類を数枚ずつ取り出して再封を可能とし、かつ、防塵性などを確保する点は未解決である。
【特許文献１】特開平７−１３２９４６号公報
【発明の開示】
【発明が解決しようとする課題】
【０００９】
そこで、本発明の目的は、袋体の内側寸法を有効に利用して従来よりも大きな物品を開口部をカットしなくても取出し／再封可能で、かつ、遮光効果、防塵効果、さらには未開封確認効果をも有するジッパー付きのプラスチック製袋を提供することにある。
【課題を解決するための手段】
【００１０】
前記目的を達成するため、本発明は、プラスチックフィルムからなる袋体の上辺開口部の内側面に、凹部と凸部とからなる嵌合／解除可能なジッパーを備えたプラスチック製袋において、前記袋体は少なくともその両側辺部分が溶着又は溶断されており、前記袋体の両側辺部分であってジッパーの両端部が位置する領域は非溶着部とされており、前記袋体を構成する表フィルム及び裏フィルムが前記ジッパーよりも内方部分であって袋体の上辺に沿ってイージーピール溶着により封止されていることを特徴とする。
【００１１】
本発明において、イージーピール溶着とは、加熱によって強く溶着はしないが密着し、袋体の上辺開口部を両側に引っ張ることで剥離可能な接合状態を意味する。
【００１２】
本発明に係るプラスチック製袋によれば、袋体の上辺開口部であってジッパーの両端部が位置する領域は非溶着部分とされてジッパー部分を含めて開放可能である。上辺開口部はイージーピール溶着によりライン状に封止されているが、この封止ラインはジッパーの解除と共に容易に剥離される。従って、袋体の上辺開口部を大きく開けることができ、袋体の内側寸法を有効に利用して従来よりも大きな物品を出し入れでき、あるいは、コピーやプリンタの用紙類などを数枚ずつ取り出して残りを再封しておくことができる。
【００１３】
さらに、イージーピール溶着によって遮光効果、防塵効果が得られ、収納物の劣化などを防止することができる。また、イージーピール溶着は一旦剥離されると通常は再密着することはないので、当該袋体が未開封の状態であるか否かを容易に識別することができる。
【００１４】
本発明に係るプラスチック製袋において、前記イージーピール溶着は袋体を構成する表フィルム又は裏フィルムの少なくともいずれか一方に、耐熱インキ、メジューム、シリコン又はイージーピール樹脂などを塗布して、あるいは、イージーピールフィルムを挟み込み、ライン状に加熱するなどして処理すればよい。
【００１５】
特に、イージーピール溶着による封止ラインを袋体の上辺の全長に渡って形成すれば、袋体内部の密閉性を確保することができる。また、イージーピール溶着による封止ラインの一部を非溶着部として残しておけば、物品収納時に該非溶着部が袋内部の空気抜き孔として機能する。さらに、該非溶着部を起点として封止ラインに沿って容易に剥離することができる利点をも奏する。
【発明を実施するための最良の形態】
【００１６】
以下、本発明に係るプラスチック製袋の実施例について添付図面を参照して説明する。
【００１７】
（第１実施例、図１及び図２参照）
第１実施例であるプラスチック製袋１０Ａは、図１に示すように、２枚のプラスチックフィルム１１，１２の両側辺部分１３，１３及び下辺部分１４が右下がりの斜線で示すように溶着されて袋体とされている。フィルム１１，１２としては、熱溶着可能な１枚の素材、あるいは、少なくとも内側面に熱溶着可能な樹脂層を有する素材が用いられている。
【００１８】
袋１０Ａの上辺開口部１５の内側面には、ジッパー５が溶着されている。このジッパー５は、図６に示すように、プラスチック製のベース部６に凹部７及び凸部８をそれぞれ一体的に成形した従来から用いられているものである。
【００１９】
また、フィルム１１，１２はジッパー５よりも内方部分においてイージーピール溶着により封止されている。イージーピール溶着は、従来種々の方法が知られており、フィルム１１，１２の少なくともいずれか一方に、例えば、耐熱インキ、メジューム、シリコン又はイージーピール樹脂などを塗布して、あるいは、イージーピールフィルムを挟み込み、ライン状に加熱するなどして処理すればよい。
【００２０】
イージーピールフィルムとしては、例えば、フィルム１１，１２の内側面がポリエチレン１００％であれば、ポリプロピレン８０％とポリエチレン２０％の共重合フィルムを使用することができる。
【００２１】
図１及び図２において右上がりの斜線を付した部分がイージーピール処理領域２０であり、この領域２０に耐熱インキなどが塗布されたり、イージーピールフィルムが挟み込まれる。そして、この処理領域２０において加熱によって封止ライン２０ａが形成される。封止ライン２０ａは加熱によって強く溶着はしていないが密着し、強制的に剥離可能である。
【００２２】
ところで、従来のジッパー付きプラスチック製袋にあっては、両側辺部分１３，１３はジッパー５が設けられている上辺部分まで溶着されている。しかし、この袋１０Ａにあっては、図２に示すように、両側辺部分１３の溶着は、イージーピール処理領域２０が溶着阻害層として機能し、両側辺部分１３の上端部分１３’はイージーピール処理された領域となる。そして、ジッパー５の両端部が位置する領域は非溶着部１６とされている。
【００２３】
この袋１０Ａを開封するには、フィルム１１，１２の上辺開口部１５を両手でつまみ、左右に広げる。これにて、ジッパー５の嵌合が解除され、さらに、力を加えることによって封止ライン２０ａが剥離される。袋１０Ａが開封された状態は、図１（Ｃ）に示すように、袋１０Ａの上辺開口部１５が大きく開く。この状態で、収納物を容易に取り出すことができ、ジッパー５によって再封することも可能である。
【００２４】
なお、袋１０Ａをコピー用紙などの包装袋として使用する場合は、下辺部分１４を溶着することなく製袋しておき、コピー用紙などを下辺部分１４から収納した後（このとき、上辺開口部１５はジッパー５にて閉じられており、封止ライン２０ａも形成されている）、下辺部分１４を溶着して閉止する。この下辺部分１４の閉止は溶着に限定するものではなく、フィルム１１，１２のいずれか一方を長くした延長部分に接着剤層を設け、該延長部分を折り返して他方のフィルムの下辺部分に貼り付けるようにしてもよい。
【００２５】
この袋１０Ａにあっては、上辺開口部１５を大きく開けることができるため、袋体の内側寸法を有効に利用して従来よりも大きな物品を出し入れでき、あるいはコピー用紙などを数枚ずつ取り出して残りを再封することができる。また、袋体の上辺部分がその全長に渡って封止ライン２０ａによって密着／封止されているため、最初の開封までは袋体内部の密閉性を確保できると共に、遮光効果、防塵効果が得られ、収納物の劣化などを防止することができる。さらに、封止ライン２０ａは一旦剥離されると通常は再密着することはないので、当該袋体が未開封の状態であるか否かを容易に識別することができる。
【００２６】
（第２実施例、図３及び図４参照）
第２実施例であるプラスチック製袋１０Ｂは、図３及び図４に示すように、基本的には前記第１実施例であるプラスチック製袋１０Ａと同様の構成からなる。異なるのは、イージーピール処理領域２０の封止ライン２０ａの中央部分が途切れて非溶着部２０ｂとされている点である。なお、図３及び図４において図１及び図２と同じ部材、部分には同じ符号を付し、重複した説明は省略する。
【００２７】
この袋１０Ｂにあっては、袋体内部の密閉性以外の作用効果は前記袋１０Ａと同じである。特に、封止ライン２０ａの一部を非溶着部２０ｂとしているため、上辺開口部１５を開く場合、非溶着部２０ｂを起点として封止ライン２０ａに沿って容易に剥離することができる。
【００２８】
即ち、イージーピール溶着による封止ライン２０ａは図４の矢印Ａ方向からの剥離力に対してはライン２０ａの長さに比例した大きな抵抗力を発揮するが、矢印Ｂ方向からの剥離力に対してはライン２０ａの幅に比例した小さな抵抗力しか示さない。従って、非溶着部２０ｂから指などを入れてライン２０ａに沿って開き始めれば（矢印Ｂ方向から剥離力を作用させれば）、僅かな力で容易に開封することができる。
【００２９】
さらに、非溶着部２０ｂは物品収納時に袋内部の空気抜き孔として機能する。例えば、シャツなどを収納する袋にあっては、滞留空気の排出のため、従来ではフィルム１１又は１２に小孔を形成して空気抜き孔としていたが、この袋１０Ｂにあっては空気抜き孔を形成する必要がなくなる。
【００３０】
（他の実施例）
なお、本発明に係るプラスチック製袋は前記実施例に限定するものではなく、その要旨の範囲内で種々に変更することができる。
【００３１】
例えば、前記ジッパー５の形状、構造は任意であり、フィルム１１，１２やイージーピール溶着の材料は前記実施例に示したもの以外に種々の材料を使用できることは勿論である。
【図面の簡単な説明】
【００３２】
【図１】本発明の第１実施例であるプラスチック製袋を示し、（Ａ）は正面図、（Ｂ）は断面図、（Ｃ）は開封状態の断面図である。
【図２】図１（Ａ）のＸ部分の拡大図である。
【図３】本発明の第２実施例であるプラスチック製袋を示し、（Ａ）は正面図、（Ｂ）は断面図、（Ｃ）は開封状態の断面図である。
【図４】図３（Ａ）のＸ部分の拡大図である。
【図５】従来のプラスチック製袋を示し、（Ａ）はジッパーを閉じた状態の上面図、（Ｂ）はジッパーを開けた状態の上面図、（Ｃ）は正面図である。
【図６】前記ジッパーの説明図である。
【符号の説明】
【００３３】
５…ジッパー
１０Ａ，１０Ｂ…プラスチック製袋
１１，１２…プラスチックフィルム
１３…側辺部分
１４…下辺部分
１５…上辺開口部
１６…両端非溶着部
２０…イージーピール処理領域
２０ａ…封止ライン
２０ｂ…非溶着部
【図１】
2006008141.tif 000003
【図２】
2006008141.tif 000004
【図３】
2006008141.tif 000005
【図４】
2006008141.tif 000006
【図５】
2006008141.tif 000007
【図６】
2006008141.tif 000008